(57)【特許請求の範囲】
【請求項１】
第１のカメラモジュール（３１）と、
前記第１のカメラモジュール（３１）に接続された第１のフレキシブルプリント回路（３２）と、
前記第１のカメラモジュール（３１）と並んで配置された第２のカメラモジュール（３３）と、
前記第２のカメラモジュール（３３）に接続された第２のフレキシブルプリント回路（３４）と、を備え、前記第１のフレキシブルプリント回路（３２）および前記第２のフレキシブルプリント回路（３４）のうちの少なくとも１つが、前記第１のカメラモジュール（３１）および前記第２のカメラモジュール（３３）の配置方向に沿って延在しており、
前記第２のカメラモジュール（３３）が第２のカメラ（３３１）、光ガイド部品（３３２）、およびフレーム（３３３）を備え、前記フレーム（３３３）が前記第２のカメラ（３３１）および前記光ガイド部品（３３２）を収容かつ固定し、前記光ガイド部品（３３２）が前記第１のカメラモジュール（３１）と前記第２のカメラ（３３１）との間に配置されている、カメラモジュール（３０）。
【請求項２】
前記第１のフレキシブルプリント回路（３２）が前記配置方向と平行な前記第１のカメラモジュール（３１）の側壁から延在し、前記第１のフレキシブルプリント回路（３２）が前記第２のカメラモジュール（３３）の側壁に隣接し、前記第１のフレキシブルプリント回路（３２）が前記第１のカメラモジュール（３１）から離れた前記第２のカメラモジュール（３３）の端部を越えるように延在していることを特徴とする、請求項１に記載のカメラモジュール（３０）。
【請求項３】
前記第２のフレキシブルプリント回路（３４）が前記配置方向と平行な前記第２のカメラモジュール（３３）の側壁から延在し、前記第２のフレキシブルプリント回路（３４）が前記第１のカメラモジュール（３１）の側壁に隣接し、前記第２のフレキシブルプリント回路（３４）が前記第２のカメラモジュール（３３）から離れた前記第１のカメラモジュール（３１）の端部を越えるように延在していることを特徴とする、請求項１または２に記載のカメラモジュール（３０）。
【請求項４】
前記第１のフレキシブルプリント回路（３２）が、前記配置方向に垂直な、前記第２のカメラモジュール（３３）から離れた前記第１のカメラモジュール（３１）の端部から延在していることを特徴とする、請求項１または３に記載のカメラモジュール（３０）。
【請求項５】
前記第２のフレキシブルプリント回路（３４）が、前記配置方向に垂直な、前記第１のカメラモジュール（３１）から離れた前記第２のカメラモジュール（３３）の端部から延在していることを特徴とする、請求項１または２または４に記載のカメラモジュール（３０）。
【請求項６】
前記第１のカメラモジュール（３１）が第１のカメラ（３１１）と、前記第１のカメラ（３１１）を支持する基部（３１２）とを備え、前記基部（３１２）が前記第２のカメラモジュール（３３）に当接し、前記第１のカメラ（３１１）および前記第２のカメラモジュール（３３）が間隔を空けて配置されていることを特徴とする、請求項１から５のいずれか一項に記載のカメラモジュール（３０）。
【請求項７】
前記基部（３１２）がプラスチックで作られていることを特徴とする、請求項６に記載のカメラモジュール（３０）。
【請求項８】
前記第１のフレキシブルプリント回路（３２）が前記第１のカメラ（３１１）に接続され、前記第２のフレキシブルプリント回路（３４）が前記第２のカメラ（３３１）に接続されていることを特徴とする、請求項６に記載のカメラモジュール（３０）。
【請求項９】
前記光ガイド部品（３３２）に接続された第３のフレキシブルプリント回路（３５）をさらに備えることを特徴とする、請求項８に記載のカメラモジュール（３０）。
【請求項１０】
前記第３のフレキシブルプリント回路（３５）が前記配置方向と平行な前記光ガイド部品（３３２）の側壁から延在し、前記第３のフレキシブルプリント回路（３５）が前記第２のカメラ（３３１）の側壁に隣接し、前記第３のフレキシブルプリント回路（３５）が前記第１のカメラモジュール（３１）から離れた前記第２のカメラモジュール（３３）の端部を越えるように延在していることを特徴とする、請求項９に記載のカメラモジュール（３０）。
【請求項１１】
前記第３のフレキシブルプリント回路（３５）が、前記配置方向に垂直な、前記第１のカメラモジュール（３１）から離れた前記光ガイド部品（３３２）の端部から延在していることを特徴とする、請求項９に記載のカメラモジュール（３０）。
【請求項１２】
前記第２のカメラ（３３１）の出光面が前記第１のカメラモジュール（３１）に面し、前記光ガイド部品（３３２）の出光面と前記第１のカメラモジュール（３１）の出光面とが平行に配置されていることを特徴とする、請求項１から１１のいずれか一項に記載のカメラモジュール（３０）。
【請求項１３】
ハウジングと、
回路板（５０）と、
請求項１から１２のいずれか一項に記載のカメラモジュール（３０）であって、前記ハウジング内に配置されたカメラモジュール（３０）と、
を備える、端末（１０００）。
【発明の詳細な説明】
【技術分野】
【０００１】
関連出願の相互参照
本出願は、２０１７年１月１１日に申請された中国特許出願第２０１７１００２１５１８．７号に対する優先権を主張するものである。上記の出願の全開示は、その全体が参照により本明細書に組み込まれる。
【０００２】
本開示は、端末の分野、詳細には、端末に適用されるカメラモジュールおよびこれを含む端末に関する。
【背景技術】
【０００３】
端末の急速な発展とともに、端末は、ますます普及してきている。端末は、人々の生活に不可欠の機器となっている。人々は、端末を通して勉強し、楽しむことができる。
【０００４】
写真撮影は、端末の最も一般的な機能の１つである。より良好な写真撮影能力を達成するために、ますます多くの端末製造業者がデュアル・カメラ方式を使用し始めている。単一のカメラと比較して、デュアル・カメラは、アルゴリズム合成を使用して、ほぼ２倍の解像度を有する写真を撮ることができる。実際の写真撮影プロセスでは、デュアル・カメラは、より詳細な画像を捕捉することができる。
【０００５】
端末のカメラモジュールは、追加のカメラ、ならびに追加のカメラのための追加のフレキシブルプリント回路（ＦＰＣ）を含むため、カメラモジュールのＦＰＣの引き回しは、より多くの回路板のスペースを占める。したがって、端末の回路板のレイアウトは、困難である。
【発明の概要】
【発明が解決しようとする課題】
【０００６】
本開示は、先行技術に存在する少なくとも１つの問題を解決することを目的とする。この目的のために、本開示は、端末の回路板上のカメラモジュールによって占有される配置スペースを削減し、カメラモジュールの配置の困難さを低減することができるカメラモジュールおよび端末を提供する。
【課題を解決するための手段】
【０００７】
本開示の実施形態による端末に適用されるカメラモジュールは、第１のカメラモジュールと、第１のフレキシブルプリント回路と、第２のカメラモジュールと、第２のフレキシブルプリント回路と、を含む。第１のフレキシブルプリント回路は、第１のカメラモジュールに接続されている。第２のカメラモジュールは、第１のカメラモジュールと並んで配置されている。第２のフレキシブルプリント回路は、第２のカメラモジュールに接続されている。第１のフレキシブルプリント回路および第２のフレキシブルプリント回路のうちの少なくとも１つは、第１のカメラモジュールおよび第２のカメラモジュールの配置方向に沿って延在している。
【０００８】
本開示の実施形態による端末は、ハウジングと、回路板と、ハウジング内に配置されたカメラモジュールと、を含む。
【０００９】
本開示の実施形態のカメラモジュールおよび端末は、カメラモジュールのフレキシブルプリント回路の配置を変え、こうすることで端末の回路板状のカメラモジュールによって占有される配置スペースを削減し、カメラモジュールの配置の困難さを低減する。
【００１０】
本開示または関連技術の実施形態をより明確に示すために、実施形態に記載されている以下の図を簡単に紹介する。図面は、本開示の一部の実施形態にすぎず、当業者は、人が面倒な努力を払わないという前提の下で、これらの図に従って他の図を得ることができることは明白である。
【図面の簡単な説明】
【００１１】
【図１】本開示の実施形態による端末の正面図である。
【図２】図１の端末の背面図である。
【図３】図１の端末の分解図である。
【図４】本開示の実施形態によるカメラモジュールの第１の構造の概略図である。
【図５】本開示の実施形態によるカメラモジュールの第２の構造の概略図である。
【図６】本開示の実施形態によるカメラモジュールの第３の構造の概略図である。
【図７】本開示の実施形態によるカメラモジュールの第４の構造の概略図である。
【図８】本開示の実施形態によるカメラモジュールの第５の構造の概略図である。
【図９】本開示の実施形態によるカメラモジュールの第６の構造の概略図である。
【図１０】本開示の実施形態によるカメラモジュールの第７の構造の概略図である。
【図１１】本開示の実施形態によるカメラモジュールの第８の構造の概略図である。
【発明を実施するための形態】
【００１２】
本開示の実施形態の図面と組み合わせて、以下は、本開示の実施形態の技術の詳細かつ完全な説明に関する。開示された実施形態は、本開示に利用可能な実施形態の一部にすぎず、本開示のすべての実施形態でないことは明白である。本開示の開示された実施形態に基づいて、創造性の努力なしに当業者によって得られる他の実施形態は、本開示の本実施形態の保護された範囲に属する。
【００１３】
本開示の説明において、「中心」、「長手方向」、「横方向」、「長さ」、「幅」、「厚さ」、「上部」、「下部」、「前方」、「後方」、「左」、「右」、「垂直」、「水平」、「頂部」、「底部」、「内側」、「外側」、「時計回り」、「反時計回り」、ならびにそれらの派生語は、その時に記載されているような、または議論になっている図面に示されているような向きを指すと理解されるべきである。これらの相対語は、説明の便宜上のものであって、本開示が特定の向きで構築または操作されることを必要とするものではなく、本開示に限定をもたらすと解釈されないものとする。加えて、「第１」および「第２」などの用語は、本明細書では説明の目的で使用されており、相対的な重要性または有意性を示す、あるいは暗示することは意図されていない。したがって、「第１」および「第２」によって限定される特徴は、１つまたは２つ以上のこれらの特徴を含むことを示す、あるいは暗示することが意図されている。本開示の説明において、「複数の」は、別段の定めがない限り、２つまたは３つ以上を指す。
【００１４】
本開示の説明において、他の方法で指定または限定されない限り、「取り付けられた」、「接続された」、「結合された」、「固定された」などの用語は、２つの要素間の恒久的な接続もしくは取り外し可能な接続、機械的接続もしくは電子的接続、直接接続もしくは媒介手段を介した間接接続、内部通信または相互作用など、広く理解されてもよいことに留意されたい。当業者は、特定の状況に従って本開示における特定の意味を理解すべきである。
【００１５】
本開示の説明において、他の方法で指定または限定されない限り、第１の特徴が第２の特徴の「上に」ある構造は、第１の特徴が第２の特徴に直接接触する実施形態を含むことができ、第１の特徴が第２の特徴に直接接触しないように、追加の特徴が第１の特徴と第２の特徴との間に形成される実施形態も含むことができることに留意されたい。さらに、第２の特徴の「上の」、「上方の」、または「頂部の」第１の特徴は、第１の特徴が第２の特徴の直ぐ「上に」、「上方に」、または「頂部に」ある実施形態を含むことができ、第１の特徴が第２の特徴の直ぐ「上に」、「上方に」、または「頂部に」ない実施形態も含むことができ、あるいは、第１の特徴が第２の特徴の海抜高度よりも高い海抜高度を有することを単に意味する。一方、第２の特徴の「真下の」、「下の」、「底部の」第１の特徴は、第１の特徴が第２の特徴の直ぐ「真下に」、「下に」、または「底部に」ある実施形態を含むことができ、第１の特徴が第２の特徴の直ぐ「真下に」、「下に」、または「底部に」ない実施形態も含を含むことができ、あるいは、第１の特徴が第２の特徴の海抜高度よりも低い海抜高度を有することを単に意味する。
【００１６】
以下の説明は、本開示の様々な構造を実施するための様々な実施形態または例を提供する。本開示の説明を簡略化するために、具体的な例の部分および設定が以下のように記載される。確かに、これらの例は、単に例示であって、本開示を限定することは意図されていない。さらに、参照番号および参照文字は、様々な例において繰り返されることがある。この繰り返しは、簡単かつ明瞭にするためのものであり、様々な実施形態および／または設定の関係を示すものではない。さらに、本開示は、様々なプロセスおよび材料の具体的な例を提供するが、当業者は、他のプロセスおよび／または他の材料の適用に気付いてもよい。
【００１７】
本開示の実施形態は、カメラモジュールおよび端末を提供し、これらは、以下で詳細に説明される。
【００１８】
図１〜図３を参照すると、本開示の実施形態による端末１０００は、リアカバー１０、発光ダイオード（ＬＥＤ）ランプ２０、カメラモジュール３０、レシーバー４０、回路板５０、電池６０、表示画面７０、およびカバープレート８０を含む。
【００１９】
リアカバー１０は、本体１１と、本体１１の周辺部に配置された側壁１２とを含む。リアカバー１０の本体１１の周辺部は、カメラが写真を撮るための第１のカメラ孔、第２のカメラ孔、およびＬＥＤランプ孔を含む。ＬＥＤランプ２０は、周辺光が暗い場合にカメラモジュール３０が画像を捕捉するときの瞬間的な照明に使用することができ、ＬＥＤランプ２０は、周辺光が明るい場合に撮影される被写体用の局所的な照明も提供する。
【００２０】
カメラモジュール３０は、外部の画像を捕捉するように構成されている。カメラモジュール３０は、後方カメラモジュールと、前方カメラモジュールとを含む。後方カメラモジュールの位置は、第１のカメラ孔および第２のカメラ孔の位置に対応する。一部の実施形態では、前方カメラモジュールは、取り外すことができ、そのような状況では、後方カメラモジュールがカメラモジュール３０を構成する。
【００２１】
マザーボードであってもよい回路板５０は、制御回路５１を含む。ＬＥＤランプ２０、カメラモジュール３０、およびレシーバー４０は、回路板５０上に配置されている。
【００２２】
電池６０は、リアカバー１０に取り付けられ、回路板５０に電気的に接続されて回路板５０に電力を供給する。
【００２３】
表示画面７０は、非表示領域７１および表示領域７２を含む。非表示領域７１の頂部は、開口部７１１および前方カメラ孔７１２を含む。開口部７１１は、レシーバー４０が音を放出するために使用される。前方カメラ孔７１２は、前方カメラモジュールが写真を撮るために使用される。一部の実施形態では、前方カメラ孔７１２は、省略されてもよく、または取り外されてもよい。端末１０００の内部構造を遮蔽するために、開口部７１１および前方カメラ孔７１２以外の非表示領域７１に対応する透明ガラスの下面には、印刷されたインク層が配置されている。表示画面７０は、ガラス、セラミック、またはサファイアなどの材料で作られてもよい。
【００２４】
カバープレート８０は、表示画面７０に取り付けられ、非表示領域８１および表示領域８２を含む。カバープレート８０の表示領域８２は、画像を表示するためにおよび／またはユーザがタッチ操作などを実行するために使用されることがある。表示領域８１の頂部は、レシーバー４０が音を放出するための開口部８１１を含む。レシーバー４０は、開口部８１１の位置に対応して配置されている。指紋認識モジュール８３は、非表示領域８１の底部に配置されている。指紋認識モジュール８３を使用して、ユーザの指紋情報を取得することができる。
【００２５】
制御回路５１は、端末１０００全体を制御するために、ＬＥＤランプ２０、カメラモジュール３０、レシーバー４０、および指紋認識モジュール８３と電気的に結合することができる。
【００２６】
図４を参照すると、本実施形態では、カメラモジュール３０は、第１のカメラモジュール３１、第１のフレキシブルプリント回路３２、第２のカメラモジュール３３、および第２のフレキシブルプリント回路３４を含む。第１のフレキシブルプリント回路３２は、第１のカメラモジュール３１に接続されている。第２のカメラモジュール３３は、第１のカメラモジュール３１と並んで配置されている。第２のフレキシブルプリント回路３４は、第２のカメラモジュール３３に接続されている。第１のフレキシブルプリント回路３２および第２のフレキシブルプリント回路３４のうちの少なくとも１つは、第１のカメラモジュール３１および第２のカメラモジュール３３の配置方向に沿って延在して回路板５０と電気的に接続されている。
【００２７】
図５を参照すると、一部の実施形態では、第１のカメラモジュール３１は、第１のカメラ３１１と、第１のカメラ３１１を支持する基部３１２とを含む。第１のフレキシブル回路板３２は、第１のカメラ３１１と電気的に結合されている。第１のカメラ３１１のレンズは、端末１０００のリアカバー１１に面している。第１のカメラ３１１は、端末１０００の後方の画像を撮影するために使用される。基部３１２は、プラスチックで作ることができることを理解されたい。
【００２８】
一部の実施形態では、第２のカメラモジュール３３は、第２のカメラ３３１、光ガイド部品３３２、およびフレーム３３３を含む。フレーム３３３は、第２のカメラ３３１および光ガイド部品３３２を収容かつ固定する。第２のカメラ３３１は、光ガイド部品３３２と並んで配置されている。第２のカメラ３３１は、第２のフレキシブルプリント回路３４と電気的に結合されている。
【００２９】
フレーム３３３は、金属材料で作ることができることを理解されたい。本実施形態では、光ガイド部品３３２は、プリズムである。
【００３０】
光ガイド部品３３２の出光面は、端末１０００のリアカバー１１に面し、第２のカメラ３３１のレンズは、光ガイド部品３３２に面している。外部光は、光ガイド部品３３２によって第２のカメラ３３１に伝達され、それによって第２のカメラ３３１は、端末１０００の後方の写真を撮る。
【００３１】
図５を参照すると、一部の実施形態では、カメラモジュール３０は、第１のコネクターＡ（基板対基板、ＢＴＢなど）および第２のコネクターＢをさら含む。第１のフレキシブルプリント回路３２は、第１のコネクターＡによって回路板５０に固定されて回路板５０との電気的接続を実現する。第２のフレキシブルプリント回路３４は、第２のコネクターＢによって回路板５０に固定されて回路板５０との電気的接続を実現する。
【００３２】
フレキシブルプリント回路は、以下のやり方で配置され得ることを理解されたい。
【００３３】
（１）第１のフレキシブルプリント回路３２のみが、第１のカメラモジュール３１および第２のカメラモジュール３３の配置方向に沿って延在する。
【００３４】
（２）第２のフレキシブルプリント回路３４のみが、第１のカメラモジュール３１および第２のカメラモジュール３３の配置方向に沿って延在する。
【００３５】
（３）第１のフレキシブルプリント回路３２および第２のフレキシブルプリント回路３４が第１のカメラモジュール３１および第２のカメラモジュール３３の配置方向に沿って延在する。
【００３６】
一部の実施形態では、第１のフレキシブルプリント回路３２は、配置方向と平行な第１のカメラモジュール３１の側壁から延在し、第２のカメラモジュール３３の側壁に隣接するようにねじれ、第１のカメラモジュール３１から離れた第２のカメラモジュール３３の端部を越えるように第２のカメラモジュール３３の側壁に沿って延在して、回路板５０に電気的に接続する。
【００３７】
フレキシブルプリント回路の物理的性質のために、フレキシブルプリント回路は、高い配線密度、軽量、および薄い厚さを有する。フレキシブルプリント回路は、部品と配線接続との一体化を達成するように、三次元空間内で曲げられ、折り畳まれ、巻き付けられ、ねじられ、引き伸ばされて、軽量化、小型化、および薄型化を実現することができる。したがって、第１のフレキシブルプリント回路３２が第１のカメラモジュール３１から延在するとき、第１のフレキシブルプリント回路３２は、第１のカメラモジュール３１の側壁に隣接するようにねじられ得る。第１のフレキシブルプリント回路３２は、第１のカメラモジュール３１から離れた第２のカメラモジュール３３の端部を越えるように第２のカメラモジュール３３の側壁に沿って延在する。第１のフレキシブルプリント回路３２は、第２のカメラモジュール３３の側壁に隣接する第２のカメラモジュール３３の端部に隣接するように、再びねじられ得る。第１のフレキシブルプリント回路３２は、第１のコネクターＡによって回路板５０に固定されて回路板５０との電気的接続を実現する。
【００３８】
実用的な用途では、ねじりを容易にするために、第１のフレキシブルプリント回路３２の形状は、Ｌ字形であってもよい。
【００３９】
一部の実施形態では、第２のフレキシブルプリント回路３４は、配置方向と平行な第２のカメラモジュール３３の側壁から延在し、第２のフレキシブルプリント回路３４は、第１のカメラモジュール３１の側壁と隣接し、第２のフレキシブルプリント回路３４は、第２のカメラモジュール３３から離れた第１のカメラモジュール３１の端部を越えるように延在して回路板５０に電気的に接続する。
【００４０】
同様に、第２のフレキシブルプリント回路３４は、第２のカメラモジュール３３から延在し、第２のカメラモジュール３３の側壁に隣接するようにねじられ得る。第２のフレキシブルプリント回路３４は、第２のカメラモジュール３３から離れた第１のカメラモジュール３１の端部を越えるように第１のカメラモジュール３１の側壁に沿って延在する。第２のフレキシブルプリント回路３４は、第１のカメラモジュール３１の側壁に隣接した第１のカメラモジュール３１の端部に隣接するように再びねじられ得る。第２のフレキシブルプリント回路３４は、第２のコネクターＢによって回路板５０に固定されて回路板５０との電気的接続を実現する。
【００４１】
実用的な用途では、ねじりを容易にするために、第２のフレキシブルプリント回路３４の形状は、Ｌ字形であってもよい。
【００４２】
一部の実施形態では、第１のフレキシブルプリント回路３２は、配置方向に垂直な、第２のカメラモジュール３３から離れた第１のカメラモジュール３１の端部から延在して、回路板５０との電気的接続を実現する。
【００４３】
一部の実施形態では、第１のカメラモジュール３１と第２のカメラモジュール３３との位置は、交換されてもよい。
【００４４】
そのような状況において、第１のフレキシブルプリント回路３２および第２のフレキシブルプリント回路３４は、以下のやり方で配置され得ることを理解されたい。
【００４５】
（１）図６を参照すると、第１のフレキシブルプリント回路３２は、第１のカメラモジュール３１の端部から延在しており、コネクターＡを介して回路板との電気的接続を実現するために配置方向と平行である。第２のフレキシブルプリント回路３４は、配置方向と平行な第２のカメラモジュール３３の側壁から延在し、配置方向と平行となるようにねじられ、第２のカメラモジュール３３から離れた第１のカメラモジュール３１の端部を越えるように、第２のカメラモジュール３３から第２のカメラモジュール３３および第１のカメラモジュール３１の壁に沿ってさらに延在し、コネクターＢを介して回路板５０との電気的接続を実現する。
【００４６】
（２）図７を参照すると、第１のフレキシブルプリント回路３２は、配置方向と平行な第１のカメラモジュール３１の側壁から延在し、配置方向と平行となるようにねじられ、第１のカメラモジュール３１および第２のカメラモジュール３３の側壁に隣接し、第１のカメラモジュール３１から離れた第２のカメラモジュール３３の端部を越えるようにさらに延在し、コネクターＡを介して回路板５０との電気的接続を実現する。第２のフレキシブルプリント回路３４は、配置方向と平行な第２のカメラモジュール３３の側壁から延在してコネクターＢを介して回路板５０との電気的接続を実現し、第２のフレキシブルプリント回路３４は、第２のカメラモジュール３３の側壁に隣接するようにねじられる。第１のフレキシブルプリント回路３２および第２のフレキシブルプリント回路３４は、同じ方向に沿って平行に延在する。
【００４７】
（３）図８を参照すると、第１のフレキシブルプリント回路３２は、第１のカメラモジュール３１の側壁から延在し、コネクターＡを介して回路板５０に電気的に接続するために配置方向と平行である。第２のフレキシブルプリント回路３４は、第２のカメラモジュール３３の側壁から延在し、コネクターＢを介して回路板５０に電気的に接続するために配置方向と平行である。第１のフレキシブルプリント回路３２および第２のフレキシブルプリント回路３４は、反対方向に沿って平行に延在する。
【００４８】
（４）図９を参照すると、第１のフレキシブルプリント回路３２は、第２のカメラモジュール３３から離れた第１のカメラモジュール３１の側壁から延在し、コネクターＡを介して回路板５０との電気的接続を実現するために配置方向と垂直である。第２のフレキシブルプリント回路３４は、第１のカメラモジュール３１から離れた第２のカメラモジュール３３の側壁から延在し、コネクターＢを介して回路板５０との電気的接続を実現するために配置方向と平行である。第１のフレキシブルプリント回路３２および第２のフレキシブルプリント回路３４は、互いに垂直に延在してもよい。
【００４９】
一部の実施形態では、端末１０００は、光ガイド部品３３２に接続された第３のフレキシブルプリント回路３５をさらに含むことができる。
【００５０】
一実施形態において、カメラモジュールは、第３のコネクターＣをさらに含むことができる。第３のフレキシブルプリント回路３５は、第３のコネクターＣを介して回路板５０と電気的に結合されている。
【００５１】
一部の実施形態では、第３のフレキシブルプリント回路３５は、配置方向と平行な光ガイド部品３３２の側壁から延在し、第２のカメラ３３１の側壁に隣接し、第１のカメラモジュール３１から離れた第２のカメラモジュール３３の端部を越えるようにさらに延在して回路板５０に電気的に接続する。
【００５２】
一部の実施形態では、第３のフレキシブルプリント回路３５は、配置方向に垂直な、第１のカメラモジュール３１から離れた光ガイド部品３３２の端部から延在して回路板５０との電気的接続を実現する。
【００５３】
第１のフレキシブルプリント回路３２、第２のフレキシブルプリント回路３４、および第３のフレキシブルプリント回路３５は、以下のやり方で配置され得ることを理解されたい。
【００５４】
（１）図１０を参照すると、第１のフレキシブルプリント回路３２は、配置方向と平行な第１のカメラモジュール３１の側壁から延在し、配置方向と平行となるように、かつ第１のカメラモジュール３１および第２のカメラモジュール３３の側壁に隣接するようにねじられ、第１のカメラモジュール３１から離れた第２のカメラモジュール３３の端部を越えるようにさらに延在してコネクターＡを介して回路板５０との電気的接続を実現する。第２のフレキシブルプリント回路３４は、配置方向と平行な第２のカメラモジュール３３の側壁から延在して、コネクターＢを介して回路板５０との電気的接続を実現する。第３のフレキシブルプリント回路３５は、配置方向と平行となるようにねじられ、光ガイド部品３３２および第２のカメラモジュール３３の側壁に隣接し、第１のカメラモジュール３１から離れた第２のカメラモジュール３３の端部を越えるようにさらに延在してコネクターＣを介して回路板５０との電気的接続を実現する。
【００５５】
（２）図１１を参照すると、第１のフレキシブルプリント回路３２は、第２のカメラモジュール３３から離れた第１のカメラモジュール３１の側壁から延在し、コネクターＡを介して回路板５０との電気的接続を実現するために配置方向に垂直である。第２のフレキシブルプリント回路３４は、第１のカメラモジュール３１から離れた第２のカメラモジュール３３の側壁から延在し、コネクターＢを介して回路板５０との電気的接続を実現するために配置方向と平行である。第３のフレキシブルプリント回路３５は、第１のカメラモジュール３１から離れた光ガイド部品３３２の側壁から延在し、コネクターＣを介して回路板５０との電気的接続を実現するために配置方向と平行である。
【００５６】
加えて、第１のフレキシブルプリント回路３２、第２のフレキシブルプリント回路３４、および第３のフレキシブルプリント回路３５は、他の組合せで配置され、ここでは例示されない。
【００５７】
一部の実施形態では、第１のカメラ３１１の長さは、第２のカメラ３３１の長さよりも短い。第２のカメラ３３１の長さは、カメラモジュール３０の全体の厚さを減らし、端末１０００の厚さを変えないようにするために、第１のカメラ３１１の長さよりも長い。第１のカメラモジュール３１および第２のカメラモジュール３３を取り付けるとき、第１のカメラモジュール３１および第２のカメラモジュール３３は、並んで配置される。詳細な配置は、以下のとおりである。
【００５８】
第１のカメラ３１１、第２のカメラ３３１、および光ガイド部品３３２は、「直線」形状を形成するように並んで配置される。第２のカメラ３３１の出光面は、第１のカメラモジュール３１に面する（すなわち、第２のカメラ３３１の出光面は、第１のカメラ３１１に面する）。光ガイド部品３３２の出光面と第１のカメラモジュール３１の出光面とは、平行に配置される。光ガイド部品３３２は、第１のカメラモジュール３１と第２のカメラ３３１との間に配置される。第１のカメラモジュール３１の基部３１２は、第２のカメラモジュール３３と当接する。例えば、第１のカメラモジュール３１の基部３１２および第２のカメラモジュール３３のフレーム３３３は、接着剤によって端末の底部に接合される。
【００５９】
本開示の実施形態において、カメラモジュールの動作原理は、以下のとおりである。
【００６０】
第１のカメラモジュール３１は、写真を撮る時に使用される。第１のカメラモジュール３１は、広角レンズである。第１のカメラモジュール３１のレンズは、端末１０００の後方のシーンを捕捉し、光学象を生成し、光学象を画像センサの表面に投影し、光学象を電気信号に変換し、電気信号をアナログデジタル変換した後にデジタル画像信号に変換し、第１の画像を得るための処理のために、デジタル画像信号をデジタル信号処理チップに送信する。第２のカメラモジュール３３は、写真を撮る時に使用される。第２のカメラモジュール３３は、長焦点レンズである。外部光は、光ガイド部品３３２によって第２のカメラ３３１へ伝達される。第２のカメラモジュール３３のレンズは、端末１０００の後方のシーンを捕捉し、光学象を生成し、光学象を画像センサの表面に投影し、光学象を電気信号に変換し、電気信号をアナログデジタル変換した後にデジタル画像信号に変換し、第２の画像を得るための処理のために、デジタル画像信号をデジタル信号処理チップに送信する。第１の画像と第２の画像とを組み合わせて、最終画像を得る。
【００６１】
一部の実施形態では、以下のように、第１のカメラおよび第２のカメラの位置をずらすこともできる。
【００６２】
第１のカメラ３１１と第２のカメラ３３１は、「Ｌ」形状を形成するように位置がずらされる。第１のカメラモジュール３１および光ガイド部品３３２は、並んで配置される。第２のカメラ３３１の出光面は、第１のカメラモジュール３１に面し、光ガイド部品３３２の出光面は、第１のカメラモジュール３１の出光面と平行に配置される。第１のカメラモジュール３１の基部３１２は、第２のカメラモジュール３３に当接する。例えば、第１のカメラモジュール３１の基部３１２および第２のカメラモジュール３３のフレーム３３３は、接着剤によって端末の底部に接合される。
【００６３】
本開示の実施形態の端末は、カメラモジュールのフレキシブルプリント回路の配置を変える。フレキシブルプリント回路は、第１のカメラモジュールおよび第２のカメラモジュールの配置方向に沿って延在して回路板に電気的に接続し、端末の回路板上のカメラモジュールによって占有される配置スペースを削減し、カメラモジュールの配置の困難さを低減する。
【００６４】
本開示の実施形態において提供されるカメラモジュールおよび端末は、上で詳細に紹介されている。具体的な実施形態は、本開示の原理および実施のやり方を例示するために使用されている。実施形態についての上記の説明は、単に本開示の方法および中核となる概念を理解するためのものである。同時に、当業者は、本開示の概念に従って、具体的な実施のやり方および適用範囲に対して修正を行うことができる。結論として、本明細書の内容は、本開示に対する限定と見なされるべきではない。
【図１】
0006804654.tif 000002
【図２】
0006804654.tif 000003
【図３】
0006804654.tif 000004
【図４】
0006804654.tif 000005
【図５】
0006804654.tif 000006
【図６】
0006804654.tif 000007
【図７】
0006804654.tif 000008
【図８】
0006804654.tif 000009
【図９】
0006804654.tif 000010
【図１０】
0006804654.tif 000011
【図１１】
0006804654.tif 000012